(57)【特許請求の範囲】
【請求項１】
共通制御チャネルの上で第１のセルからの制御情報をブロードキャストするステップを含む方法であって、
前記制御情報は、前記第１のセルによって送信されるデータ・チャネルに関連づけられ、
前記制御情報は、ユーザ機器において前記データ・チャネルによって引き起こされる干渉を軽減するために、第２のセルによってサービスされる前記ユーザ機器によって使用可能であり、
前記制御情報をブロードキャストするステップは、
前記第１のセルによってサービスされるユーザ機器の識別情報、
前記第１のセルによってサービスされるユーザ機器に向かって専用制御チャネルを送信するために使用される拡散コード、
専用制御チャネルを送信するために使用される時間または周波数のリソースの表示、あるいは、
前記第１のセルによってサービスされるユーザ機器に割り付けられる物理的リソース・ブロックのサブセットについての復調情報、
のうちの少なくとも１つを示す制御情報をブロードキャストするステップを含む、
方法。
【請求項２】
前記第１のセルから前記制御情報をブロードキャストするステップは、前記第２のセルから要求を受信することに応じて、前記第１のセルから前記制御情報をブロードキャストするステップを含む、請求項１に記載の方法。
【請求項３】
前記ユーザ機器に対する干渉の推定に基づいて、前記専用制御チャネル、または前記物理的リソース・ブロックの前記サブセットのうちの少なくとも一方を選択するステップをさらに含み、
前記推定は、前記第１のセルによって実行され、また干渉の前記推定は、
前記第１のセルによってサービスされるユーザ機器に対してデータを送信するために使用される拡散コードの数、
前記第１のセルによってサービスされるユーザ機器に対してデータを送信するために使用される電力レベル、または、
前記第１のセルによってサービスされるユーザ機器に対してデータを送信するために使用される時間−周波数リソースの量、
のうちの少なくとも１つを含み、
前記データは、前記選択された専用制御チャネルによって示される、請求項１に記載の方法。
【請求項４】
共通制御チャネルの上で第１のセルからの制御情報をブロードキャストするステップを含む方法であって、
前記制御情報は、前記第１のセルによって送信されるデータ・チャネルに関連づけられ、
前記制御情報は、ユーザ機器において前記データ・チャネルによって引き起こされる干渉を軽減するために、第２のセルによってサービスされる前記ユーザ機器によって使用可能であり、
前記制御情報をブロードキャストするステップは、
前記データ・チャネルの送信のために使用される変調スキーム、
前記データ・チャネルの送信のために使用される符号化スキーム、
前記データ・チャネルの送信のために使用される空間レイヤの数、
前記データ・チャネルの送信のために使用されるコードワードの数、または、
前記データ・チャネルの上で送信される情報を事前符号化するために使用される事前符号化行列、
のうちの少なくとも１つを示す制御情報をブロードキャストするステップを含む、方法。
【請求項５】
ユーザ機器において、共通制御チャネルの上で第１のセルから受信される制御情報を復号するステップであって、前記ユーザ機器は、第２のセルによってサービスされる、復号するステップと、
前記第１のセルから受信されるデータ・チャネルによって引き起こされる、前記ユーザ機器における干渉を軽減するために、前記制御情報を使用するステップと、
前記第１のセルから受信される前記制御情報を使用して、前記データ・チャネルを復号するステップと、
前記ユーザ機器において受信される信号から前記復号されたデータ・チャネルを差し引くことにより、前記ユーザ機器における前記干渉を軽減するステップと、
を含み、
前記データ・チャネルを復号するステップは、
前記第１のセルによってサービスされるユーザ機器の識別情報、
前記第１のセルによってサービスされるユーザ機器に向かって専用制御チャネルを送信するために使用される拡散コード、
専用制御チャネルを送信するために使用される時間または周波数のリソースの表示、あるいは、
前記第１のセルによってサービスされるユーザ機器に割り付けられる物理的リソース・ブロックのサブセットについての復調情報、
のうちの少なくとも１つを示す制御情報を用いて前記データ・チャネルを復号する、
方法。
【請求項６】
前記ユーザ機器において、前記第２のセルに対する前記ユーザ機器のハンドオーバに応じて、前記共通制御チャネルを復号するために使用可能な情報を受信するステップ、
をさらに含む、請求項５に記載の方法。
【請求項７】
前記データ・チャネルを復号することなく、前記制御情報に基づいて、前記データ・チャネルによって引き起こされる干渉を抑制することにより、前記干渉を軽減するステップを含む、請求項５に記載の方法。
【請求項８】
少なくとも１つの追加の共通制御チャネルを復号するステップと、
前記少なくとも１つの復号された追加の制御チャネルからの制御情報を使用して、前記第１のセルによって送信される少なくとも１つの他のデータ・チャネルによって引き起こされる干渉を軽減するステップと、
を含む、請求項５に記載の方法。
【請求項９】
しきい値を下回った前記ユーザ機器におけるチャネル状態に応じて、前記共通制御チャネルを監視するステップを含む、請求項５に記載の方法。
【請求項１０】
ユーザ機器において、共通制御チャネルの上で第１のセルから受信される制御情報を復号するステップであって、前記ユーザ機器は、第２のセルによってサービスされる、復号するステップと、
前記第１のセルから受信されるデータ・チャネルによって引き起こされる、前記ユーザ機器における干渉を軽減するために、前記制御情報を使用するステップと、
前記データ・チャネルを復号することなく、前記制御情報に基づいて、前記データ・チャネルによって引き起こされる干渉を抑制することにより、前記干渉を軽減するステップと、
を含み、
前記干渉を軽減するステップは、
前記データ・チャネルの送信のために使用される変調スキーム、
前記データ・チャネルの送信のために使用される符号化スキーム、
前記データ・チャネルの送信のために使用される空間レイヤの数、
前記データ・チャネルの送信のために使用されるコードワードの数、または、
前記データ・チャネルの上で送信される情報を事前符号化するために使用される事前符号化行列、
のうちの少なくとも１つを示す制御情報を用いて干渉を軽減するステップを含む、
方法。
【請求項１１】
ワイヤレス接続を提供し、且つ、第１のセルにサービスの提供をするためのデバイスであって、
少なくとも一つのプロセッサを備え、該プロセッサが、
共通制御チャネルの上で制御情報をブロードキャストするステップ、
を実行するように構成され、
前記制御情報は、前記デバイスによって送信されるデータ・チャネルに関連づけられ、
前記制御情報は、ユーザ機器において前記データ・チャネルによって引き起こされる干渉を軽減するために、第２のセルによってサービスされる該ユーザ機器によって使用可能であり、
前記制御情報をブロードキャストするステップは、
前記デバイスによってサービスされるユーザ機器の識別情報、
前記デバイスによってサービスされるユーザ機器に向かって専用制御チャネルを送信するために使用される拡散コード、
専用制御チャネルを送信するために使用される時間または周波数のリソースの表示、あるいは、
前記デバイスによってサービスされるユーザ機器に割り付けられる物理的リソース・ブロックのサブセットについての復調情報、
のうちの少なくとも１つを示す制御情報をブロードキャストするステップを含む、
デバイス。
【請求項１２】
ワイヤレス接続を提供し、且つ、第１のセルにサービスの提供をするためのデバイスであって、
少なくとも一つのプロセッサを備え、該プロセッサが、
共通制御チャネルの上で制御情報をブロードキャストするステップ、
を実行するように構成され、
前記制御情報は、前記デバイスによって送信されるデータ・チャネルに関連づけられ、
前記制御情報は、ユーザ機器において前記データ・チャネルによって引き起こされる干渉を軽減するために、第２のセルによってサービスされる該ユーザ機器によって使用可能であり、
前記制御情報をブロードキャストするステップは、
前記データ・チャネルの送信のために使用される変調スキーム、
前記データ・チャネルの送信のために使用される符号化スキーム、
前記データ・チャネルの送信のために使用される空間レイヤの数、
前記データ・チャネルの送信のために使用されるコードワードの数、または、
前記データ・チャネルの上で送信される情報を事前符号化するために使用される事前符号化行列、
のうちの少なくとも１つを示す制御情報をブロードキャストするステップを含む、
デバイス。
【請求項１３】
少なくとも１つのプロセッサを備えるユーザ機器であって、該プロセッサが、
共通制御チャネルの上で第１のセルから受信される制御情報を復号するステップであって、前記ユーザ機器は、第２のセルによってサービスされる、復号するステップと、
前記第１のセルから受信されるデータ・チャネルによって引き起こされる、前記ユーザ機器における干渉を軽減するために、前記制御情報を使用するステップと、
前記第１のセルから受信される前記制御情報を使用して、前記データ・チャネルを復号するステップと、
前記ユーザ機器において受信される信号から前記復号されたデータ・チャネルを差し引くことにより、前記ユーザ機器における前記干渉を軽減するステップと、
を実行するように構成され、
前記データ・チャネルを復号するステップは、
前記第１のセルによってサービスされるユーザ機器の識別情報、
前記第１のセルによってサービスされるユーザ機器に向かって専用制御チャネルを送信するために使用される拡散コード、
専用制御チャネルを送信するために使用される時間または周波数のリソースの表示、あるいは、
前記第１のセルによってサービスされるユーザ機器に割り付けられる物理的リソース・ブロックのサブセットについての復調情報、
のうちの少なくとも１つを示す制御情報を用いて前記データ・チャネルを復号する、
ユーザ機器。
【請求項１４】
少なくとも１つのプロセッサを備えるユーザ機器であって、該プロセッサが、
共通制御チャネルの上で第１のセルから受信される制御情報を復号するステップであって、前記ユーザ機器は、第２のセルによってサービスされる、復号するステップと、
前記第１のセルから受信されるデータ・チャネルによって引き起こされる、前記ユーザ機器における干渉を軽減するために、前記制御情報を使用するステップと、
前記データ・チャネルを復号することなく、前記制御情報に基づいて、前記データ・チャネルによって引き起こされる干渉を抑制することにより、前記干渉を軽減するステップと、
を実行するように構成され、
前記干渉を軽減するステップは、
前記データ・チャネルの送信のために使用される変調スキーム、
前記データ・チャネルの送信のために使用される符号化スキーム、
前記データ・チャネルの送信のために使用される空間レイヤの数、
前記データ・チャネルの送信のために使用されるコードワードの数、または、
前記データ・チャネルの上で送信される情報を事前符号化するために使用される事前符号化行列、
のうちの少なくとも１つを示す制御情報を用いて干渉を軽減するステップを含む、
ユーザ機器。
【発明の詳細な説明】
【技術分野】
【０００１】
本開示は、一般にワイヤレス通信システムに関し、また詳細には、ワイヤレス通信システムにおけるネットワーク支援型干渉除去に関する。
【背景技術】
【０００２】
異機種ワイヤレス通信システムは、一般的に、オーバーレイ構成の形で展開される様々な異なるタイプのセルを含んでいる。例えば、異機種ワイヤレス通信システムは、比較的大きなエリアの上でワイヤレス接続を提供するためのマクロセルと、それらのマクロセルによって対象として含まれるより大きなエリアの内部の比較的小さなエリアの上でワイヤレス接続を提供するための１つまたは複数のより小さなセルとを含むことができる。マクロセルは、基地局と、基地局ルータなどとを含むことができる。それらのより小さなセルは、低電力ノードと、マイクロセルと、フェムトセルと、ピコセルと、アクセス・ポイントと、ホーム基地局ルータなどとを含むことができる。用語「セル」、「マクロセル」、「マイクロセル」などは、従来、ワイヤレス接続を提供するために使用される物理的デバイスと、ワイヤレス接続のカバレッジ・エリアの両方を示すために使用されている。それゆえに、用語「マクロセル」は、基地局のカバレッジ・エリアについてのワイヤレス接続を提供する基地局のことを意味することができる。ユーザ機器は、ネットワークからユーザ機器へと情報を伝達するダウンリンク（または順方向リンク）チャネル、あるいはユーザ機器からネットワークへと情報を伝達するアップリンク（または逆方向リンク）チャネルの上で、ワイヤレス通信システムと通信することができる。
【０００３】
ユーザ機器は、マクロセルからより小さなセルへとオフロードされて、異機種ワイヤレス通信システムの全体的容量を改善することができる。例えば、ユーザ機器は、マクロセルからユーザ機器において受信される信号の信号対干渉プラス雑音比（ＳＩＮＲ：ｓｉｇｎａｌ−ｔｏ−ｉｎｔｅｒｆｅｒｅｎｃｅ−ｐｌｕｓ−ｎｏｉｓｅ  ｒａｔｉｏｓ）が、より小さなセルからユーザ機器において受信される信号のＳＩＮＲよりも小さいときに、マクロセルからより小さなセルへとハンドオフすることができる。バイアスを適用して、ユーザ機器が、マクロセルの間の典型的なハンドオーバにおけるよりも低いＳＩＮＲで、より小さなセルに対してハンドオーバすることを強制することができる。バイアスは、より小さなセルのカバレッジ・エリアを拡張し、またより多くのユーザ機器が、マクロセルからより小さなセルへとオフロードされるようにさせることができる。それゆえに、バイアスは、システムの中の異機種ワイヤレス・コミュニティの容量をさらに増大させることができる。しかしながら、マクロセルからより小さなセルへとハンドオフするユーザ機器は、特にユーザ機器がより小さなセルの拡張されたレンジの中にあるときに、マクロセルから強い干渉信号を受信する可能性がある。
【発明の概要】
【０００４】
本開示は、よりよく理解され、またその非常に多数の特徴および利点は、添付図面を参照することにより、当業者に対して明らかにされる可能性がある。異なる図面の中の同じ参照記号の使用は、類似した項目、または同一の項目を示すものである。
【図面の簡単な説明】
【０００５】
【図１】いくつかの実施形態によるワイヤレス通信システムのブロック図である。
【図２】いくつかの実施形態による、干渉セルと被干渉セルとを含み、ユーザ機器にサービスするワイヤレス通信システムを示す図である。
【図３】いくつかの実施形態による、干渉セルによってブロードキャストされる制御情報を使用して干渉を軽減するための方法の流れ図である。
【図４】いくつかの実施形態による、干渉軽減のためのネットワーク支援情報を提供するための方法の流れ図である。
【図５】いくつかの実施形態による、干渉軽減のためのネットワーク支援情報を提供するための方法の流れ図である。
【発明を実施するための形態】
【０００６】
ユーザ機器が被干渉セルの中にあるときに、ユーザ機器が干渉セルからユーザ機器によって受信される干渉を軽減することを可能にするための、ネットワーク支援型干渉除去技法が提案されている。提案された技法においては、被干渉セル（これはまた、ユーザ機器のためのサービング・セルでもある）は、ユーザ機器が１つまたは複数の干渉セルから専用制御チャネルを復号することを可能にする情報を搬送する共通制御チャネル（高速共用制御チャネル、ＨＳ−ＳＣＣＨ（ｈｉｇｈ−ｓｐｅｅｄ  ｓｈａｒｅｄ  ｃｏｎｔｒｏｌ  ｃｈａｎｎｅｌ）など）をブロードキャストする。例えば、ユーザ機器は、共通制御チャネルを復号して、専用制御チャネルについての情報を取得することができ、また次いでこの情報を使用して、専用制御チャネルを復号して、干渉セル（単数または複数）によって送信されるデータ・チャネルについての情報を取得することができる。次いで、ユーザ機器は、この情報を使用して、データ・チャネルからの干渉を抑制すること、または除去することにより、干渉を軽減することができる。しかしながら、このアプローチは、いくつかの短所を有する。例えば、待ち時間が、被干渉セルによってブロードキャストされる共通制御チャネルを復号することと、専用制御チャネルを復号することとの間の時間遅延によって導入される。別の例では、ユーザ機器は、多数の制御チャネルを復号する必要がある可能性があり、これは、ユーザ機器における処理リソースを消費する。さらに別の例では、干渉セルは、（干渉する）専用チャネルについて被干渉セルに通知する必要がある。これは、被干渉セルに対して情報を搬送するために、協調と、非常に速いバックホール・チャネルとを必要とする。タイミングに関連した別の可能性のある短所は、干渉セルと、被干渉セルとが、時間的に整合していない可能性があることである。
【０００７】
これらの短所の多くは、干渉セルが、被干渉セル、またはサービング・セルから制御情報をブロードキャストする代わりに、共通制御チャネルの上で制御情報をブロードキャストすることを可能にすることにより、低減されまたは克服される可能性がある。制御情報は、干渉セルによって送信されるデータ・チャネルに関連する情報を含んでいる。被干渉セルによってサービスされているユーザ機器は、干渉セルによってブロードキャストされる情報を使用して、干渉セルのデータ・チャネルの上で引き起こされる干渉を軽減することができる。ユーザ機器のいくつかの実施形態は、共通制御チャネルの中に示され、またデータ・チャネルに適用される変調スキームまたは事前符号化行列に基づいて、干渉を抑制することにより干渉を軽減することができる。代わりに、ユーザ機器は、干渉セルによってサービスされる他のユーザ機器に専用の１つまたは複数の制御チャネルを復号すること、および次いで専用制御チャネルによって搬送される情報に基づいて、他のユーザ機器に対して送信されるデータ・チャネル（単数または複数）を復号することにより、干渉を軽減することができる。次いで、ユーザ機器は、無線インターフェースの上で受信される信号から復号されたデータ・チャネル（単数または複数）を差し引くことにより、干渉を除去することができる。
【０００８】
いくつかの実施形態においては、干渉セルは、ユーザ機器にサービスしている被干渉セルからの要求に応じて共通制御チャネル上で情報をブロードキャストすることを開始することができる。干渉セルによってブロードキャストされる共通制御チャネルを復号するためにユーザ機器によって必要とされる情報は、干渉セルから被干渉セルへのハンドオーバに先立って、干渉セルによってユーザ機器に対して信号で伝えられる可能性がある。代わりに、干渉セルによってブロードキャストされる共通制御チャネルを復号するためにユーザ機器によって必要とされる情報は、被干渉セルによってユーザ機器に対して信号で伝えられる可能性もある。例えば、被干渉セルは、干渉セルによってブロードキャストされる共通制御チャネルを復号するために直交可変拡散ファクタ（ＯＶＳＦ：ｏｒｔｈｏｇｏｎａｌ  ｖａｒｉａｂｌｅ  ｓｐｒｅａｄｉｎｇ  ｆａｃｔｏｒ）をユーザ機器に対して提供することができる。いくつかの実施形態においては、被干渉セルはまた、どのような種類の情報をユーザ機器の能力に基づいて、共通制御チャネルの上でブロードキャストすべきかを干渉セルに知らせることもできる。
【０００９】
図１は、いくつかの実施形態による、１つまたは複数のマクロセル１０５と、１つまたは複数のオーバーレイしたスモール・セル１１０および１１５とを含む異機種ワイヤレス通信システム１００を示すものである。マクロセル１０５は、マクロセル１０５に対するワイヤレス接続を提供することができる基地局１２０または他のデバイスによってサービスされる。しかしながら、当技術分野における共通の使用に従って、用語「マクロセル」は、基地局１２０によってサービスされる地理的エリアと、基地局１２０それ自体との両方を指し示すために使用されことができる。同じ慣習が、オーバーレイしたスモール・セル１１０および１１５に対して適用されることもあり、これらのスモール・セルは、１つまたは複数のアクセス・ポイント１２５、１３０、またはワイヤレス接続をセル１１０、１１５に対して提供することができる他のデバイスによってサービスされることもある。異機種ワイヤレス通信システム１００の中のセル１０５、１１０、１１５は、ユニバーサル・モバイル・テレコミュニケーション規格（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｔａｎｄａｒｄｓ）、ロング・ターム・エボリューション（ＬＴＥ：Ｌｏｎｇ  Ｔｅｒｍ  Ｅｖｏｌｕｔｉｏｎ）、高速ダウンリンク・パケット・アクセス（ＨＳＤＰＡ：ｈｉｇｈ−ｓｐｅｅｄ  ｄｏｗｎｌｉｎｋ  ｐａｃｋｅｔ  ａｃｃｅｓｓ）、あるいは第３世代パートナーシップ・プロジェクト（３ＧＰＰ、３ＧＰＰ２）または他の規格設定機構によって規定される他の規格を含む、ワイヤレス通信の規格またはプロトコルによるワイヤレス接続を提供することができる。
【００１０】
スモール・セル１１５の内部のユーザ機器１３５は、マクロセル１０５からスモール・セル１１５へとオフロードされて、例えば、マクロセル１０５の上の負荷を低減させ、またワイヤレス通信システム１００の全体的容量を改善することができる。例えば、マクロセル１０５と、スモール・セル１１０、１１５との間の境界は、基地局１２０によって送信されるパイロット信号のＳＩＮＲと、アクセス・ポイント１２５、１３０によって送信されるパイロット信号のＳＩＮＲとの比によって決定されることもある。次いで、ユーザ機器１３５は、その比がしきい値を下回るときに、セル１１５に対してハンドオフすることができる。
【００１１】
ワイヤレス通信システム１００のいくつかの実施形態は、１つまたは複数のユーザ機器またはスモール・セルに対してハンドオーバ・バイアスを適用することもできる可能性があり、その結果、ユーザ機器は、優先的にマクロセル１０５から１つまたは複数のより小さなセル１１０、１１５へとハンドオフする。例えば、バイアスは、ユーザ機器１４０とスモール・セル１１５とに適用されることもあり、その結果、ユーザ機器１４０は、基地局１２０によって送信されるパイロット信号のＳＩＮＲと、スモール・セル１１５によって送信されるパイロット信号のＳＩＮＲとの比のうちの低い方の値においてスモール・セル１１５に対してハンドオフする。ハンドオーバ・バイアスは、それゆえに、スモール・セル１１５のレンジを拡張されたレンジ１４５へと拡張することができる。
【００１２】
バイアスは、本明細書においては、マクロセルと、スモール・セルとの間のバイアスの関連で説明されるが、本開示の恩恵を受ける当業者なら、ワイヤレス通信システムの実施形態は、いかなるタイプのセルの間でもバイアスをサポートすることもできることを理解すべきである。ＵＭＴＳに従って動作するワイヤレス通信システム１００のいくつかの実施形態においては、バイアスは、ユーザ機器が別のセルの上の１つのセルに対するハンドオーバに有利に働くように、セル・ハンドオーバ・パラメータ・セル個別オフセット（ＣＩＯ：Ｃｅｌｌ  Ｉｎｄｉｖｉｄｕａｌ  Ｏｆｆｓｅｔ）を構成することにより適用される可能性がある。ＬＴＥに従って動作するワイヤレス通信システム１００のいくつかの実施形態においては、バイアスは、ハンドオーバがトリガされる相対的なレベルをバイアスするために、現在のセルに対する隣接するセルの信号強度の測定値を報告するためのトリガに対するオフセットを適用することにより適用される可能性がある。ハンドオーバをバイアスするこれらの方法は、一般的に、ユーザ機器が典型的なマクロ−マクロのハンドオーバにおけるよりも低いＳＩＮＲで、セルに対してハンドオーバすることをもたらす。その結果、ユーザ機器は、ソース・セルから、ターゲット・セルへのバイアス・ハンドオフの後にソース・セルからのより強い干渉に直面する可能性があり、これは、ユーザ機器のスループットを低下させる可能性がある。例えば、拡張された領域１４５におけるユーザ機器１４０は、スモール・セル１１５に対してハンドオフした後に、マクロセル１０５からかなりの干渉１５０を受ける可能性がある。
【００１３】
それゆえに、ユーザ機器１４０は、マクロセル１０５から送信される制御情報を使用して、干渉１５０を軽減するように構成されていることもある。マクロセル１０５のいくつかの実施形態は、ユーザ機器１４０にサービスしているスモール・セル１１５からの要求に応じて、共通制御チャネル上で、制御情報をブロードキャストすることができる。ユーザ機器１４０は、共通制御チャネルを復号し、また次いで、復号された共通制御チャネルの中の情報を使用して、干渉１５０を抑制し、または除去することができる。例えば、ユーザ機器１４０は、共通制御チャネルによって伝達される制御情報を使用して、マクロセル１０５によって送信される１つまたは複数のデータ・チャネルを復号することができる。復号されたデータ・チャネルは、次いで、ユーザ機器１４０によって受信される信号から差し引かれて、干渉１５０を除去することができる。ユーザ機器１４０のいくつかの実施形態は、代わりに、制御情報を使用して、データ・チャネルを復号することなく、干渉１５０を抑制することができる。
【００１４】
スモール・セル１１５のいくつかの実施形態は、マクロセル１０５によってブロードキャストされる制御情報を監視するためにユーザ機器のサブセットを構成する信号を提供することができる可能性がある。例えば、ユーザ機器１３５は、スモール・セル１１５の内部にあり、またユーザ機器１４０は、拡張されたレンジ１４５の内部にある。アクセス・ポイント１３０は、それゆえに、例えば、共通のＨＳ−ＳＣＣＨのためのスクランブリング・コード、ＯＶＳＦコード、および／または共通の無線ネットワーク一時的識別子（ＲＮＴＩ：ｒａｄｉｏ  ｎｅｔｗｏｒｋ  ｔｅｍｐｏｒａｒｙ  ｉｄｅｎｔｉｆｉｅｒ）を提供することにより、マクロセルによってブロードキャストされる共通のＨＳ−ＳＣＣＨをリッスンするように、ユーザ機器１３５、１４０を選択的に構成することができる信号を提供することができる。アクセス・ポイント１３０はまた、受信ジオメトリが負である場合に、ユーザ機器が共通のＨＳ−ＳＣＣＨを監視するのみとするように、監視しきい値を設定することもできる。例えば、ユーザ機器１３５は、スモール・セル１１５から受信される信号について高いＳＩＮＲを有しており、またそれゆえに、正のジオメトリにあり、また共通のＨＳ−ＳＣＣＨを監視する必要はない。対照的に、ユーザ機器１４０は、スモール・セル１１５から受信される信号について比較的より低いＳＩＮＲを有しており、またそれゆえに、負のジオメトリにあり、また共通のＨＳ−ＳＣＣＨを監視する。ＨＳ−ＳＣＣＨを受信するとすぐに、ユーザ機器１４０は、そのＳＩＮＲを改善するために、マクロセル１０５からの高速物理ダウンリンク共用チャネル（ＨＳ−ＰＤＳＣＨ）などのデータ・チャネルを除去する情報を取得する。
【００１５】
図２は、いくつかの実施形態による、干渉セル２０５と、ユーザ機器２１５にサービスする被干渉セル２１０とを含む、ワイヤレス通信システム２００を示すものである。被干渉セル２１０は、ユーザ機器２１５にサービスしており、またそのようにして被干渉セル２１０と、ユーザ機器２１５とは、アップリンクおよびダウンリンクのチャネル２２０の上で通信する。アップリンクまたはダウンリンクのチャネル２２０は、チャネル２２０のオペレーションを支配する規格またはプロトコルに応じて、様々な制御チャネルと、データ・チャネルとを含むことができる。ユーザ機器２１５は、アップリンクまたはダウンリンクのチャネル２２０の上で情報を送信し、また受信するために使用され得る受信ロジック（ＲＸ）２２５と、送信ロジック（ＴＸ）２３０とを含む。受信ロジック２２５を使用して、ダウンリンクの上で受信される信号を復調し、また復号することができる。送信ロジック２３０を使用して、アップリンクの上の送信のための信号を変調し、また符号化することができる。
【００１６】
ユーザ機器２１５はまた、干渉セル２０５によって送信される１つまたは複数のデータ・チャネル２３５から干渉を受信する可能性もある。例えば、ユーザ機器２１５は、以前に干渉セル２０５から被干渉セル２１０へとハンドオフされている可能性があり、また依然として、被干渉セル２１０のセル拡張領域または境界領域の中にある可能性がある。その結果として、ユーザ機器２１５は、干渉セル２０５によってサービスされる他のユーザ機器（図２の中に示されず）に対して送信されるデータ・チャネル２３５に起因して、干渉セル２０５から比較的強い干渉信号を受信している可能性がある。干渉セル２０５は、それゆえに、共通制御チャネル２４０上で制御情報をブロードキャストすることができ、またユーザ機器２１５は、この情報を受信し、またそれを使用して、データ・チャネル（単数または複数）２３５によって引き起こされる干渉を軽減することができる。例えば、ユーザ機器２１５は、共通制御チャネル２４０の上で伝達される情報を使用して、データ・チャネル（単数または複数）２３５からの干渉を抑制し、または除去することができる軽減ロジック２４５を含むことができる。
【００１７】
ユーザ機器２１５のいくつかの実施形態は、干渉セル２０５によってサービスされている他のユーザ機器に対して提供される制御情報の完全な組を使用して、干渉セル２０５によって送信されるデータ・チャネル（単数または複数）を復号することができる。次いで、ユーザ機器２１５は、干渉データを再構築し、またそれを無線インターフェースの上で受信される信号から差し引いて、それ自体のデータ、例えば、チャネル２２０上で被干渉セル２１０から受信されるデータのＳＩＮＲを改善することができる。干渉セル２０５のいくつかの実施形態は、干渉セル２０５によってサービスされるユーザ機器に関連する専用制御チャネル（図２の中に示されず）を復号する際に、ユーザ機器２１５を支援する情報を共通制御チャネル２３５の上で送信することができる。例えば、共通制御チャネル２３５は、専用制御チャネルが、一般的にこれらの識別子を使用してスクランブルされ、またそれゆえにこの情報なしに復号され得ないので、干渉セル２０５によってサービスされるユーザ機器を識別する情報を伝達することができる。いくつかの実施形態においては、干渉セル２０５は、専用制御チャネルのサブセットを選択することができる。例えば、干渉セル２０５は、ユーザ機器２１５に対してデータを送信するために使用される拡散コードの数、ユーザ機器２１５に対してデータを送信するために使用される電力レベル、ユーザ機器２１５に対してデータを送信するために使用される時間−周波数リソースの量など、ユーザ機器２１５における干渉の強度のインジケータを使用して、専用制御チャネルのサブセットを選択することができる。データは、選択された専用制御チャネルによって示される。
【００１８】
干渉セル２０５のいくつかの実施形態は、ユーザ機器２１５が、専用制御チャネルの所在を見つけることを助ける他の情報を共通制御チャネル２３５の上で伝達することができる。例えば、ＨＳＤＰＡに従って動作する実施形態においては、共通制御チャネル２３５は、おのおのの専用のＨＳ−ＳＣＣＨを送信するために使用されるＳＦ１２８の拡散コードの識別情報など、おのおのの専用制御チャネルを送信するために使用される拡散コードの識別情報を伝達することができる。別の例では、ＬＴＥに従って動作する実施形態においては、共通制御チャネル２３５は、おのおのの専用制御チャネルを送信するために使用される時間−周波数リソースを示す情報を伝達することができ、この情報は、おのおのの専用の（拡張された）物理ダウンリンク制御チャネル（（Ｅ）ＰＤＣＣＨ：（ｅｘｔｅｎｄｅｄ）ｐｈｙｓｉｃａｌ  ｄｏｗｎｌｉｎｋ  ｃｏｎｔｒｏｌ  ｃｈａｎｎｅｌ）を送信するために使用される１つまたは複数の共通制御要素（ＣＣＥ）または拡張されたＣＣＥ（ＥＣＣＥ：ｅｘｔｅｎｄｅｄ  ＣＣＥ）の少なくともインデックスを含むことができる。ＥＰＤＣＣＨの場合には、共通制御チャネル２３５は、おのおのの専用のＥＰＤＣＣＨが、局部集中型であるか、あるいは分散型であるかと、場合によっては各ＥＣＣＥを含む物理リソース・ブロック（ＰＲＢ：ｐｈｙｓｉｃａｌ  ｒｅｓｏｕｒｃｅ  ｂｌｏｃｋｓ）のロケーションとを示す情報を伝達することもできる。共通制御チャネル２３５を使用してこの情報を送信することにより、ユーザ機器２１５は、干渉ＥＰＤＣＣＨを除去することができる可能性があり、またそのユーザ機器は、干渉ＰＤＳＣＨの復調の詳細を決定することができる可能性もある。
【００１９】
ＬＴＥに従って動作する実施形態においては、共通制御チャネル２３５は、干渉セル２０５によって送信されるＰＲＢのサブセットについての復調情報を伝達することができる。例えば、干渉セル２０５は、ユーザ機器２１５における最強の干渉が、ＰＲＢのサブセットによって引き起こされることを推定することができ、また最強の干渉源を含むサブセットだけに共通制御チャネル２３５の送信を限定することができる。この情報は、進化型除去レシーバ（例えば、逐次的干渉除去（ｓｕｃｃｅｓｓｉｖｅ  ｉｎｔｅｒｆｅｒｅｎｃｅ  ｃａｎｃｅｌｌａｔｉｏｎ）の、すなわちＳＩＣのレシーバ）を実施するユーザ機器２１５の実施形態によって使用される可能性がある。ＳＩＣレシーバのいくつかの実施形態は、全体信号を復調し、またそれゆえに、最強の干渉源は、ユーザ機器２１５によって検出される高い機会（弱い干渉源のそれと比べて）を有するであろう。
【００２０】
ユーザ機器２１５のいくつかの実施形態は、データ・チャネル（単数または複数）２３５を復号することができ、また軽減ロジック２４５は、データ・チャネルの上の個別の送信についての巡回冗長検査（ＣＲＣ：ｃｙｃｌｉｃ  ｒｅｄｕｎｄａｎｃｙ  ｃｈｅｃｋ）を通ったときだけに、干渉の減算を実行することができる。この場合には、共通制御チャネル２４０は、ユーザ機器２１５が、この実施形態において干渉データについてのＨＡＲＱの組合せを実行することができないので、共通制御チャネル２４０がＨＡＲＱ再送信情報（例えば、ＨＡＲＱプロセスＩＤ）を伝達することができないことを除いて、完全な復号をサポートする他の実施形態における情報と同じ情報を伝達することができる。これらの実施形態における干渉除去の利点は、ＨＡＲＱ再送信なしに復号され得る干渉データ・パケットの割合に依存している可能性がある。
【００２１】
ユーザ機器２１５のいくつかの実施形態は、データ・チャネル（単数または複数）２３５を復号することなくデータ・チャネル（単数または複数）２３５によって引き起こされる干渉を抑制することができる。例えば、共通制御チャネル２４０は、データ・チャネル２３５を変調し、また符号化するために、ＭＣＳロジック２５０によって使用される変調スキームおよび／または符号化スキーム（ＭＣＳ：ｍｏｄｕｌａｔｉｏｎ  ａｎｄ／ｏｒ  ｃｏｄｉｎｇ  ｓｃｈｅｍｅｓ）を識別する情報を伝達することができる。別の例では、共通制御チャネル２４０は、無線インターフェース上の送信の前に干渉データ信号（単数または複数）をあらかじめ符号化するために、プリコーダ・ロジック２５５によって使用される送信側プリコーダを識別する情報を伝達することができる。干渉データ信号（単数または複数）を送信するために使用される送信側プリコーダについての知識は、あらかじめ符号化された基準信号が、干渉データ信号（単数または複数）の中に埋め込まれていない場合に、干渉の共分散行列の推定を容易にする。共通制御チャネル２４０のいくつかの実施形態はまた、データ・チャネルの送信のために使用される空間レイヤの数、データ・チャネルの送信のために使用されるコードワードの数を識別する情報、またはデータ・チャネルによって引き起こされる干渉を抑制するために使用され得る他の情報を伝達することもできる。いくつかの実施形態においては、共通制御チャネル２４０は、それゆえに、干渉データ・チャネル２３５の完全な復号のために必要とされる情報を伝達することができるが、ユーザ機器２１５は、おのおのの示された専用制御チャネルから関連のある情報を抽出することだけができる。共通制御チャネル２４０のいくつかの実施形態は、干渉の抑制を実行するために必要とされるすべての情報を伝達することができ、これは、ユーザ機器２１５が、共通制御チャネル２４０の単一の復号を実行する必要があるにすぎず、また専用制御チャネルを復号する必要はないという利点を有している。
【００２２】
ＨＳＤＰＡに従って動作する実施形態においては、共通制御チャネル２４０は、異なるＨＳＤＰＡチャネルについての各チャネライゼーション・コード上で使用される変調スキームを示す情報を伝達する。共通制御チャネル２４０はまた、オプションとして、（多入力多出力（ＭＩＭＯ：ｍｕｌｔｉｐｌｅ−ｉｎ−ｍｕｌｔｉｐｌｅ  ｏｕｔ）送信の場合における）送信ブロックの数および／または（やはりＭＩＭＯ送信の場合において）使用される送信側プリコーダを示す情報を伝達することもできる。例えば、共通のＨＳ−ＳＣＣＨ２４０は、干渉セル２０５の中のおのおののスケジュールされたユーザ機器に対応する、ブロックの中の上記の情報を搬送することができる。共通のＨＳ−ＳＣＣＨ２４０上で送信されるビットの数は、スケジュールされたユーザ機器の数に依存することになる。例えば、ＣＣＳと、ＭＣＳと、事前符号化重み情報（ＰＷＩ：ｐｒｅｃｏｄｉｎｇ  ｗｅｉｇｈｔ  ｉｎｆｏｒｍａｔｉｏｎ）とが、ただ１つのＵＥのために提供されるべきであった場合、７＋３＋２＝１２ビットが、必要とされることになり、１５個のＵＥの上限では、１２×１５＝１８０ビットが、必要とされることになる。別の例では、共通のＨＳ−ＳＣＣＨ２４０は、ＨＳ−ＤＳＣＨデータについての１５個の使用可能なチャネライゼーション・コードを通して、コードごとに上記の情報を伝達することができる。この場合には、共通のＨＳ−ＳＣＣＨ２４０の上で必要とされるビットの数は、スケジュールされたＵＥの数とは独立したものになり、また３＋２＝５ビットは、ＭＣＳと、ＰＷＩとを示すために、チャネライゼーション・コード当たりに必要とされることになり、全部で５×１５＝７５ビットになる。このアプローチは、それゆえに６つ以上のＵＥがスケジュールされるときにより効率的になる可能性がある。代わりに、ＰＷＩが、信号で伝えられない場合、このアプローチは、５つ以上のＵＥが、スケジュールされるときに、より効率的になる可能性がある。
【００２３】
ＬＴＥに従って動作する実施形態においては、共通制御チャネル２４０は、以下の情報、すなわち、
・  変調スキーム（例えば、３ビット）
・  パイロット・スキーム（ＤＭＲＳまたはＣＲＳ）（例えば、１ビット）
・  送信モード（例えば、３ビット）
・  アンテナ・ポート構成（例えば、４ビット）
・  事前符号化インデックス（ＣＲＳベースのパイロット・スキームのための）（例えば、２〜４ビット）
・  コードワードの数（例えば、１ビット）
・  空間レイヤの数（例えば、２ビット）
・  事前符号化情報（例えば、３〜６ビット）
のうちの一部または全部を伝達することができる。共通制御チャネル２４０は、それゆえに、いくつかの実施形態においてＰＲＢ当たりに１５ビット以上を使用することができる。１００個のＰＲＢを有するシステム帯域幅では、このアプローチは、１５００ビット以上を送信することを必要とすることになり、これは、いくつかの実施形態において大量のオーバーヘッドを表す可能性がある。干渉セル２０５のいくつかの実施形態は、それゆえに、ＰＲＢのサブセットを選択し、またＰＲＢの選択されたサブセットについての上記の情報を送信することができる。例えば、干渉セル２０５は、ＰＲＢによって引き起こされる干渉の強度の尺度を使用して、ユーザ機器２１５における干渉を推定することができる。干渉セルは、データをユーザ機器２１５に対して送信するために使用される拡散コードの数、データをユーザ機器２１５に対して送信するために使用される電力レベル、データをユーザ機器２１５に対して送信するために使用される時間−周波数リソースの量などのパラメータに基づいて、干渉の強度を推定することができる。この情報は、選択された専用制御チャネルによって示されることもある。次いで、干渉セル２０５は、これらの尺度を使用して、ある意味で、最強の干渉源であるように考えられるＰＲＢのサブセットを選択することができる。例えば、ＰＲＢは、高い送信電力を有すること、または大きなリソースの割り付けを含むことに起因して、強い干渉源と考えられる可能性がある。
【００２４】
共通制御チャネル２４０のいくつかの実施形態は、一次的な共通制御チャネルと、二次的な共通制御チャネルとを含むことができる。例えば、共通制御チャネル２４０は、同じサブフレームの内部の１つまたは複数の二次的な共通制御チャネルの表示を伝達することができる一次的な共通制御チャネルを含むことができる。これらの実施形態の実施は、干渉セル２０５が、ユーザ機器２１５における強い干渉源である、データ・チャネル２３５の上の複数のユーザ機器にサービスする場合に、有用とすることができる。例えば、一次的な共通のＨＳ−ＳＣＣＨを有することにより、ユーザ機器２１５は、１つの共通制御チャネル２４０を監視する必要があるだけである。ユーザ機器２１５は、それゆえに、一次的な共通制御チャネルが、１つまたは複数の追加の共通制御チャネルが存在していることを示す場合に、二次的な共通制御チャネルを監視するだけである可能性がある。
【００２５】
干渉セル２０５のいくつかの実施形態は、複数の同時発生の共通のＨＳ−ＳＣＣＨ２４０をブロードキャストすることができ、この複数の同時発生の共通のＨＳ−ＳＣＣＨは、ユーザ機器２１５が複数の可能性のある共通のＨＳ−ＳＣＣＨ２４０を盲目的に復号することを必要とすることになり、またユーザ機器２１５の複雑さを増大させることになる。ＨＳＤＰＡの場合には、１つまたは複数の追加の共通のＨＳ−ＳＣＣＨの表示は、有利に、ＨＳ−ＳＣＣＨの第１のスロットに位置づけられる可能性がある。これにより、ユーザ機器２１５は、他の共通のＨＳ−ＳＣＣＨ２４０を早期に受信することができるようになり、これにより、ユーザ機器２１５は、ＨＳ−ＰＤＳＣＨが高速共用制御チャネル（ＨＳ−ＳＣＣＨ）の第２のスロットにおいて開始するので、干渉セル２０５から送信されるＨＳ−ＰＤＳＣＨを復号し、また除去することができるようになる可能性がある。
【００２６】
図３は、いくつかの実施形態による、干渉セルによってブロードキャストされる制御情報を使用して、干渉を軽減するための方法３００の流れ図である。ブロック３０５において、図２に示される干渉セル２０５などの干渉セルは、無線インターフェース上のブロードキャストのための共通制御チャネルを構成することができる。干渉セルの実施形態は、図２において示されるユーザ機器２１５など、１つまたは複数のユーザ機器にサービスしている、図２に示される被干渉セル２１０などの被干渉セルから受信される情報に基づいて、共通制御チャネルを構成することができる。例えば、被干渉セルは、ユーザ機器の干渉軽減能力を示す情報を受信することができ、またこの情報を使用して、干渉セルが共通制御チャネルを適切に構成することができるという情報を提供することができる。次いで、共通制御チャネルのオーバーヘッドは、例えば、被干渉セルによってサービスされるユーザ機器が、干渉を軽減するためにデータ・チャネルを復号し、またその復号された情報を差し引くことができるときに、完全な制御チャネル情報を送信することだけにより、管理される可能性がある。次いで、干渉セルは、ブロック３１０において、例えば、被干渉セルからの要求に応じて、共通制御チャネルをブロードキャストすることができる。
【００２７】
ブロック３１５において、ブロードキャストされた共通制御チャネルを受信するユーザ機器は、共通制御チャネルを復号し、また共通制御チャネルによって伝達される情報を抽出することができる。例えば、ユーザ機器は、共通制御チャネルを復号し、また干渉セルによって送信されるデータ・チャネルを復号するために使用される情報を抽出することができ、その結果、復号されたデータ・チャネルは、本明細書において考察されるように、ユーザ機器によって受信される信号から差し引かれる可能性がある。別の例では、ユーザ機器は、共通制御チャネルを復号し、またデータ・チャネルを復号することなく、データ・チャネルによって引き起こされる干渉を抑制するために使用され得る情報を抽出することができる。共通制御チャネルのいくつかの実施形態はまた、干渉セルによってサービスされるユーザ機器に専用の制御チャネルを識別し、かつ／または復号するために使用され得る情報を含むこともできる。ブロック３２０において、方法３００は、共通制御チャネルが、専用制御チャネルを識別する情報を含んでいるかどうかを決定することができる。当該情報を含んでいる場合、ユーザ機器は、ブロック３２５において、共通制御チャネルの中で伝達される情報を使用して、専用制御チャネルを復号することができる。含んでいない場合、ブロック３２５は、バイパスされることもある。ブロック３３０において、ユーザ機器は、干渉セルによって送信されるデータ・チャネルによって引き起こされる干渉を抑制すること、または除去すること／差し引くことにより、受信された情報を使用してデータ・チャネルの干渉を軽減することができる。
【００２８】
図４は、いくつかの実施形態による、干渉軽減のためのネットワーク支援情報を提供するための方法４００の流れ図である。ブロック４０５において、第１のセルは、第１のセルから１つまたは複数の第２のセルへのユーザ機器のハンドオーバに対してバイアスを適用することにより、セル・レンジ拡張を開始することができる。例えば、第１のセルは、マクロセルとすることができ、また第２のセルは、マクロセルとのオーバーレイ構成の形で展開されるスモール・セルとすることができる。バイアスは、全体的システム・スループットを改善するためにマクロセルからスモール・セルへとユーザ機器を優先的にオフロードするために適用される可能性がある。例えば、大きなセル・レンジ拡張（ＣＲＥ：Ｃｅｌｌ  Ｒａｎｇｅ  Ｅｘｐａｎｓｉｏｎ）オフセット値は、マクロセル（第１のセル）から、より小さなセル（第２のセル）へとハンドオフするためにユーザ機器にバイアスするために適用されることもある。ブロック４１０において、第１のセルは、ユーザ機器に対してネットワーク支援情報を提供することができ、その結果、ユーザ機器は、その後に、ネットワーク支援情報を使用して、第１のセルによってブロードキャストされる共通制御チャネルを識別し、また復号することができる。ＣＲＥは、第１のセルによって開始されることもあり、この第１のセルは、第２の（被干渉）セルに対するハンドオーバの後に干渉セルになる。第１のセルは、それゆえに、ハンドオーバに先立って、ネットワーク支援情報をユーザ機器に対して信号で伝えることができ、その結果、ユーザ機器は、共通制御チャネルを復号することができるようになる。
【００２９】
ユーザ機器は、ブロック４１５において、第１のセルから第２のセルへとハンドオーバすることができる。ユーザ機器は、それゆえに、第１の（干渉）セルからかなりの干渉を受信することになり得る。決定ブロック４２０において、干渉セルは、その干渉セルがユーザ機器における干渉軽減のためのネットワーク支援を提供する要求を受信しているかどうかを決定する。受信していない場合、干渉セルは、要求を待ち続ける。ひとたび干渉セルがネットワーク支援のための要求を受信した後に、干渉セルは、ブロック４２５において、共通制御チャネルの上でネットワーク支援情報をブロードキャストする。ネットワーク支援がセル・レンジ拡張領域の中にあり、またそれゆえに干渉セルからの強い干渉に直面するユーザ機器のために要求されることもあるので、ユーザ機器は、例えば、通常のセル・レンジの内部の第２のセルにより近いユーザ機器よりも、共通のＨＳ−ＳＣＣＨを復号することができる可能性がより高いこともある。対照的に、セル・レンジ拡張領域の中のユーザ機器は、ユーザ機器が負のジオメトリの中にあるので、第２のセルから共通のＨＳ−ＳＣＣＨを復号することができない可能性がある。それゆえに、第１のセルの共通チャネルを復号する可能性が高いユーザ機器は、干渉除去からの恩恵を受けることになるユーザ機器でもある。
【００３０】
第２のセルのいくつかの実施形態は、第１のセルに対して要求情報要素（ＩＥ：Ｉｎｆｏｒｍａｔｉｏｎ  Ｅｌｅｍｅｎｔ）を提供することにより、ネットワーク支援を要求することができる。例えば、ＩＥは、干渉の除去／抑制を支援する情報を搬送する共通制御チャネルを送信することを開始する要求を含むことができる。第２のセルは、ユーザ機器から受信される報告されたチャネル品質情報（ＣＱＩ：ｃｈａｎｎｅｌ  ｑｕａｌｉｔｙ  ｉｎｆｏｒｍａｔｉｏｎ）に基づいて、要求を送信することを決定することができる。ＨＳＤＰＡに従って動作するシステムの例においては、ユーザ機器の無線状態（例えば、ＳＩＮＲ）が構成されたしきい値よりも下にある場合に、ユーザ機器は、第１のセルの共通のＨＳ−ＳＣＣＨを監視するだけである。報告されたＳＩＮＲが構成されたしきい値よりも下にあるときに、第２のセルは、それゆえに、第１のセルに対して要求を提供するだけの可能性がある。ＬＴＥでは、セル獲得に基づいて、第２のセルに対して報告されるセルＩＤは、最強の干渉源である可能性が最も高いセル（第１のセルなど）からネットワーク支援を要求する表示として第２のセルによって使用される可能性がある。本明細書において考察されるように、いくつかの実施形態においては、干渉セルは、すでに共通制御チャネルをブロードキャストしている可能性があるが、被干渉ユーザ機器は、無線状態がしきい値を下回る場合に、この共通制御チャネルを監視するだけである可能性がある。この場合には、ユーザ機器は、いつそれが共通制御チャネルを監視することを開始するかをネットワークに通知しないこともある。
【００３１】
ＩＥの一実施形態は、負荷表示プロシージャ（Ｌｏａｄ  Ｉｎｄｉｃａｔｉｏｎ  ｐｒｏｃｅｄｕｒｅ）を使用して、受信セルによるネットワーク支援情報の転送を要求する。以下に示される表１は、ネットワーク支援情報についてのさらなる要求された情報、または単一ビット要求を有する要求ＩＥを示すものである。
【００３２】
【表１】
0006276387.tif 000002
【００３３】
図５は、いくつかの実施形態による、干渉軽減のためのネットワーク支援情報を提供するための方法５００の流れ図である。ブロック５０５において、ユーザ機器は、その干渉軽減能力をその現在の（第１の）サービング・セルに対して信号で伝える。例えば、ユーザ機器は、データ・チャネルを復号すること、および復号されたデータ・チャネル情報を差し引くことが可能であること、あるいはデータ・チャネルを復号せずに、干渉データ・チャネルを抑制することが可能であることを示すことができる。ブロック５１０において、第１のセルは、受信された干渉除去能力情報に基づいて、ネットワーク支援情報をユーザ機器に対して提供することができる。例えば、被干渉サービング・セルは、ユーザ機器が干渉セルによってブロードキャストされる共通制御チャネルを復号することを可能にする復号情報を、信号で伝えることができる。共通制御チャネルは、ユーザ機器の干渉軽減能力に関連のある制御情報を搬送することができる。例えば、ＨＳＤＰＡにおいては、ユーザ機器が干渉抑制だけを実行できる場合、第１のセルは、干渉セルの共通制御チャネルのＯＶＳＦコードを信号で伝えることができる。
【００３４】
第１のセルはまた、ブロック５１５において、共通制御チャネル構成情報を第２のセルに対して提供することもできる。構成情報は、ユーザ機器によって第１のセルに対して送信される干渉軽減能力情報を使用して決定されることもある。例えば、第２のセルは、ユーザ機器が第２のセルによって送信されるデータ・チャネルを記号レベルまで復号することを可能にする情報を伝達するように共通制御チャネルを構成することができ、これは、干渉を抑制するために適しており、それによって共通制御チャネルにおいて不必要な情報をブロードキャストするために必要とされるオーバーヘッドを回避している。第１のセルはまた、どのようなタイプの共通制御信号が必要とされるかを第２のセルに知らせることもできる。例えば、第２のセルだけが干渉抑制をすることができ、また干渉の除去または差し引きをすることができないユーザ機器にサービスする場合、第２のセルが、干渉除去のための情報を含む共通制御チャネルを送信するための必要性はない。
【００３５】
ブロック５２０において、第２のセルは、それが共通制御チャネルをブロードキャストすることにより、ネットワーク支援を提供する要求を受信しているかどうかを決定する。受信していない場合、第２のセルは、要求を待つ。ひとたび第２のセルがネットワーク支援を提供する要求を受信した後に、第２のセルは、ブロック５２５において、共通制御チャネルの上でネットワーク支援情報をブロードキャストすることを開始することができる。いくつかの実施形態においては、ネットワーク支援情報は、ユーザ機器にネットワーク支援情報を要求すべきかどうかを決定させる代わりに、第１の（被干渉）セルがネットワーク支援情報を要求すべきかどうかを決定することに応じて、提供される可能性がある。第１のセルは、専用または共通のネットワーク支援情報を要求することができ、また第２の（干渉）セルは、この情報を使用して、ネットワーク支援情報が専用のものであるべきか、またはブロードキャストされるべきであるかを決定することができる。第１のセルのいくつかの実施形態は、本明細書において考察されるように、高い干渉が経験されるＰＲＢを信号で伝えることができる。これにより、第２のセルは、干渉の可能性のあるソースである可能性のあるユーザ機器を識別することができるようになり、またその結果、第２のセルは、適切な支援情報をユーザ機器に対して送信することができる。第１のセルのいくつかの実施形態はまた、ユーザ機器の能力を識別する情報を第２のセルに対して提供することができる可能性もある。例えば、第１のセルは、ユーザ機器が最小平均二乗誤差推定（ＭＭＳＥ：ｍｉｎｉｍｕｍ  ｍｅａｎ  ｓｑｕａｒｅｄ  ｅｒｒｏｒ  ｅｓｔｉｍａｔｉｏｎ）を実施するか、ＭＭＳＥ増分冗長結合（ＭＭＳＥ−ＩＲＣ：ＭＭＳＥ  ｉｎｃｒｅｍｅｎｔａｌ  ｒｅｄｕｎｄａｎｃｙ  ｃｏｍｂｉｎｉｎｇ）を実施するか、または何らかの他のレシーバ・タイプを実施するかを示すことができる。
【００３６】
ロード表示プロシージャを使用して、第２のセルによってネットワーク支援情報の転送を要求するＩＥの一実施形態が、以下で、表２に示される。
【００３７】
【表２】
0006276387.tif 000003
【００３８】
干渉セルによってブロードキャストされる制御情報を使用して干渉を軽減することは、被干渉セルから制御情報をブロードキャストする従来の実行に優るいくつかの利点を有する。例えば、本明細書において説明される技法の実施形態は、ユーザ機器によって経験される追加の復号の数、または復号遅延を低減させることができる。別の例では、本明細書において説明される技法の実施形態は、サービング／被干渉セルと、干渉セルとの間のスケジューリング調整に依存しておらず、またサービング・セルと、干渉セルとの間のインターフェースの中で無視できるほど小さいレイテンシーを必要としてはいない。干渉セルが、干渉セル推定が最強の干渉を引き起こすデータ・チャネルに対応するＨＳ−ＰＤＳＣＨコードについての復号情報を送出できるので、被干渉セルと、干渉セルとの間で、タイミング調整またはスケジューリング調整は、必要とされない。被干渉セルと、干渉セルとが、異なるベンダーからのものであるときに、または被干渉セルと、干渉セルとの間のバックホール・リンクが、非理想的であるときに、例えば、無視できないレイテンシーを示すときに、スケジューリング調整は、特に難しい。本明細書において説明される技法の実施形態は効率的であり、例えば、当該技法は、小さな追加の信号オーバーヘッドを招くのみであり得る。例えば、ＨＳＤＰＡ、そのスクランブリング・コード、共通のＲＮＴＩ  ＩＤの場合における、共通制御チャネルそれ自体のパラメータは、無線リソース制御（ＲＲＣ：ｒａｄｉｏ  ｒｅｓｏｕｒｃｅ  ｃｏｎｔｒｏｌ）レイヤ信号を使用して、干渉セルまたは被干渉セルによって構成される可能性がある。
【００３９】
いくつかの実施形態においては、上記で説明される技法のある種の態様は、ソフトウェアを実行する処理システムの１つまたは複数のプロセッサによって実施されることもある。ソフトウェアは、非一時的コンピュータ読取り可能ストレージ媒体の上に記憶され、またはそれ以外の方法で有形に実施される実行可能な命令の１つまたは複数の組を含んでいる。ソフトウェアは、１つまたは複数のプロセッサによって実行されるときに、上記で説明される技法の１つまたは複数の態様を実行するように１つまたは複数のプロセッサを操作する命令と、ある種のデータとを含むことができる。非一時的コンピュータ読取り可能ストレージ媒体は、コンピュータ・システムに対する命令および／またはデータを提供する使用中に、コンピュータ・システムによってアクセス可能な任意のストレージ媒体、またはストレージ媒体の組合せを含むことができる。そのようなストレージ媒体は、それだけには限定されないが、光媒体（例えば、コンパクト・ディスク（ＣＤ：ｃｏｍｐａｃｔ  ｄｉｓｃ）、デジタル多用途ディスク（ＤＶＤ：ｄｉｇｉｔａｌ  ｖｅｒｓａｔｉｌｅ  ｄｉｓｃ）、ブルーレイ・ディスク）、磁気媒体（例えば、フロッピー・ディスク、磁気テープ、または磁気ハード・ドライブ）、揮発性メモリ（例えば、ランダム・アクセス・メモリ（ＲＡＭ：ｒａｎｄｏｍ  ａｃｃｅｓｓ  ｍｅｍｏｒｙ）またはキャッシュ）、不揮発性メモリ（例えば、リード・オンリー・メモリ（ＲＯＭ：ｒｅａｄ−ｏｎｌｙ  ｍｅｍｏｒｙ）またはフラッシュ・メモリ）、あるいはマイクロエレクトロメカニカル・システム（ＭＥＭＳ：ｍｉｃｒｏｅｌｅｃｔｒｏｍｅｃｈａｎｉｃａｌ  ｓｙｓｔｅｍｓ）−ベースのストレージ媒体を含む。コンピュータ読取り可能ストレージ媒体は、コンピューティング・システム（例えば、システムＲＡＭまたはＲＯＭ）の中に埋め込まれ、コンピューティング・システム（例えば、磁気ハード・ドライブ）に固定して取り付けられており、コンピューティング・システム（例えば、光ディスクまたはユニバーサル・シリアル・バス（ＵＳＢ：Ｕｎｉｖｅｒｓａｌ  Ｓｅｒｉａｌ  Ｂｕｓ）−ベースのフラッシュ・メモリ）に着脱可能に取り付けられ、あるいは有線ネットワークまたはワイヤレス・ネットワーク（例えば、ネットワーク・アクセス可能ストレージ（ＮＡＳ：ｎｅｔｗｏｒｋ  ａｃｃｅｓｓｉｂｌｅ  ｓｔｏｒａｇｅ））を経由してコンピュータ・システムに結合されることもある。非一時的コンピュータ読取り可能ストレージ媒体の上に記憶される実行可能な命令は、ソース・コード、アセンブリ言語コード、オブジェクト・コード、あるいは１つまたは複数のプロセッサによって解釈され、またはそれ以外の方法で実行可能な他の命令フォーマットの形とすることができる。
【００４０】
一般的な説明において上記で説明されるアクティビティまたは要素のうちの必ずしもすべてが、必要とされるとは限らないこと、特定のアクティビティまたはデバイスのうちの一部分が、必要とされないこともあること、および説明されるこれらに加えて、１つまたは複数のさらなるアクティビティが、実行され、あるいは要素が、含まれることもあることに注意すべきである。さらにまた、アクティビティが、リストアップされる順序は、必ずしも、それらが実行される順序であるとは限らない。また、概念は、特定の実施形態を参照して説明されてきている。しかしながら、当業者なら、様々な修正形態および変更形態が、添付の特許請求の範囲の中で説明されるような本開示の範囲を逸脱することなく行われ得ることを理解している。それに応じて、明細書と図面とは、限定的ではなくて例証的な意味で考えられるべきであり、またすべてのそのような修正形態は、本開示の範囲内に含まれることを意図している。
【００４１】
利益と、他の利点と、問題に対する問題解決手法とが、特定の実施形態に関して、上記で説明されている。しかしながら、任意の利益、利点、または問題解決手法が、現れ、またはより顕著になるようにさせる可能性のある利益と、利点と、問題に対する問題解決手法と、任意の特徴とは、任意の請求項またはすべての請求項の重要な、必要とされる、または絶対必要な特徴として解釈されるべきではない。さらに、上記で開示される特定の実施形態は、開示された主題が、本明細書における教示の恩恵を受ける当業者に明らかな、異なるが同等なやり方で、修正され、また実行されるので、例証的であるにすぎない。添付の特許請求の範囲において説明される以外の、示される本明細書における構造または設計の詳細に対しては、どのような限定も、意図されてはいない。それゆえに、上記で開示される特定の実施形態が、変更され、または修正される可能性があり、またすべてのそのような変形形態は、開示された主題の範囲内にあると考えられることは、明らかである。したがって、本明細書において求められる保護は、添付の特許請求の範囲において説明されるようなものである。
【図１】
0006276387.tif 000004
【図２】
0006276387.tif 000005
【図３】
0006276387.tif 000006
【図４】
0006276387.tif 000007
【図５】
0006276387.tif 000008